(57)【特許請求の範囲】
【請求項１】
上面にボルスタを有するベッドと、
前記ベッド上に立設された複数のコラムと、
前記コラムに載置されたクラウンと、
前記コラムの間に支持され、前記クラウンに収容された駆動機構により往復運動するスライドと、
前記コラム間に架け渡された平板状のステーと、
を含んで構成され、
前記ステーは、
縦方向の上縁が前記コラム間の間隔に相応する長さをもつと共に、横方向の側縁の一方と前記上縁との間の角度が直角であり且つ前記側縁の他方と前記上縁との間の角度が鋭角であり、
前記上縁は、ステー表面の凹所から差し込まれたボルトによって前記クラウンに当接して固定され、前記側縁の一方は、ステー表面の凹所から差し込まれたボルトによって前記コラムに当接して固定され、前記側縁の他方は、前記コラムとの間にくさびを介在させて、ステー表面の凹所から差し込まれて当該くさびを貫通するボルトによって前記コラムに固定されている、
プレス機械。
【請求項２】
前記コラムは、
前記ベッド上面の四隅に立設された４本の支柱部と、
前記支柱部のうちの左側２本の上下端を連結する２つの桟部と、
前記支柱部のうちの右側２本の上下端を連結する２つの桟部と、
を有し、
前記ステーは、
前記コラムの左側の前記支柱部と右側の前記支柱部との間に架け渡される、
請求項１記載のプレス機械。
【発明の詳細な説明】
【技術分野】
【０００１】
プレス機械のフレーム補強に関する技術が以下に開示される。
【背景技術】
【０００２】
ベッドの上面にコラムを立設し、このコラム上に頭部のクラウンを載置するフレーム構造のプレス機械が、例えば特許文献１，２に開示されている。このプレス機械は、クラウン内に収容した駆動機構（例えばクランク機構）により上下に往復運動するスライドが、ギブと呼ばれるスライドガイドを介してコラム間に支持される。そして、スライド下面に取り付けられる上金型と、ベッド上のボルスタに取り付けられる下金型とにより、プレス加工が行われる。
【０００３】
特許文献１，２に開示されたプレス機械では、縦方向（スライド往復方向）の中間位置においてコラム間に横方向（スライド往復方向に直交する方向）のステーが設けられており、剛性を最も必要とする部位の強化が図られている。
【先行技術文献】
【特許文献】
【０００４】
【特許文献１】実開昭６３−０５６９９６号公報
【特許文献２】特開２００２−０５９２９８号公報
【発明の概要】
【発明が解決しようとする課題】
【０００５】
上記ステーを設けたプレス機械では、中間部位の補強によりコラムの撓みは抑制される（特許文献１の図面参照）。しかし、スライドから偏芯荷重がかかったときのクラウンも含めた全体的な歪みを矯正するには至らない。例えば、図３中に点線で示すように、偏芯荷重がかかったときのプレス機械は、クラウン及びコラムが全体的に横方向へ傾いで歪むことがあるが、コラム中間部位のステーではこれに抗することができない。
【０００６】
このような背景に鑑みると、クラウンとコラムが傾ぐことを抑制可能なフレーム構造をもったプレス機械が必要である。
【課題を解決するための手段】
【０００７】
上記課題に対して提案するプレス機械は、上面にボルスタを有するベッドと、該ベッド上に立設された複数のコラムと、該コラムに載置されたクラウンと、前記コラムの間に支持され、前記クラウンに収容された駆動機構により往復運動するスライドと、前記コラム間に架け渡された平板状のステーと、を含んで構成され、そのステーは、縦方向の上縁が前記コラム間の間隔に相応する長さをもつと共に、横方向の側縁の一方と前記上縁との間の角度が直角であり且つ前記側縁の他方と前記上縁との間の角度が鋭角であり、前記上縁は、ステー表面の凹所から差し込まれたボルトによって前記クラウンに当接して固定され、前記側縁の一方は、ステー表面の凹所から差し込まれたボルトによって前記コラムに当接して固定され、前記側縁の他方は、前記コラムとの間にくさびを介在させて、ステー表面の凹所から差し込まれて当該くさびを貫通するボルトによって前記コラムに固定されたものとなっている。
【発明の効果】
【０００８】
上記提案に係るプレス機械では、上縁をクラウンに固定すると共に両側縁をコラムに固定した平板状のステーが、クラウンとコラムとの接続角度を一定に維持する突っ張り部材として機能する。偏芯荷重がかかったときでもクラウンとコラムとの接続角度が変化しなければ、当該クラウンとコラムが傾ぐことはなく、歪みは抑制される。その結果、スライドや金型の損傷防止に貢献する。
【図面の簡単な説明】
【０００９】
【図１】プレス機械の実施形態を示した正面図。
【図２】図１のプレス機械の側面図。
【図３】クラウンとコラムが傾ぐことの説明図。
【発明を実施するための形態】
【００１０】
図１及び図２は、プレス機械の実施形態を正面及び左側面からみて概略的に示している。図示のプレス機械は、ベッド１、コラム２、クラウン３、スライド４、そして、ステー１０を含んで構成される。なお、以下の説明においては、図１に示す正面から見たときの「左右」及び「前後」を使用する。
【００１１】
ベッド１は、水平で平坦な上面を備え、下金型を固定するためのボルスタ１ａをその上面に有する。このベッド１上面の左側と右側の端に、コラム２が立設されている。本実施形態のコラム２は、ベッド１上面の四隅に立設された４本の支柱部２ａを有し、これら支柱部２ａのうち、左側の前後に並んだ２本の支柱部２ａの上端どうし及び下端どうしが、それぞれ桟部２ｂによって連結されている。また、支柱部２ａのうち、右側の前後に並んだ２本の支柱部２ａの上端どうし及び下端どうしも、それぞれ桟部２ｂによって連結されている。すなわち、左側のコラム２及び右側のコラム２は、それぞれ長方形枠の形態（図２参照）に形成されており、前後の方向には傾ぎ難い構造である。このような長方形枠の形態のコラム２は、２本の支柱部２ａ及びその上下端を連結する桟部２ｂを一体形成した金属枠、あるいは、支柱部２ａと桟部２ｂとを別体として形成し、後から溶接やボルト止め等で組み立てた金属枠とすることができる。
【００１２】
ベッド１上に立設されたコラム２には、クラウン３が載置される。クラウン３は、クランク機構等の駆動機構を内部に収容し、この駆動機構から下面を通して、スライド４を取り付けるアーム５が突出する。駆動機構に従ってアーム５が上下に往復運動することにより、スライド４が上下に往復する。スライド４は、その四隅の角を、コラム２の内側に設けられたスライドガイドであるギブ６に支持されることにより、アーム５に従って往復運動する。
【００１３】
左側と右側のコラム２の間、すなわち、左右の支柱部２ａの間には、平板状のステー１０が架け渡されている。ステー１０は、本実施形態の場合、長方形の金属板であり、その長辺を横方向としてコラム２間に架け渡してある。一例として、ステー１０のサイズは、長辺（横方向）の長さが３ｍ程度、短辺（縦方向）の長さが１ｍ程度、そして厚みが１６ｃｍ程度にもなる。
【００１４】
具体的に本実施形態のステー１０は、縦方向の上縁１１がコラム間の間隔ｄに相応する長さに形成される（数ｍｍから数ｃｍ程度短くてもよい）。一方、縦方向の下縁１２は、上縁１１に比べて若干短く形成されており、これにより、ステー１０の横方向の側縁１３，１４のうちの右側の側縁１４が、コラム２に対して傾斜することになる。すなわち、ステー１０において、左側の側縁１３と上縁１１との間の角度α１３は直角であるが、右側の側縁１４と上縁１１との角度α１４は鋭角である。この形状により形成される、側縁１４とコラム２との間の隙間に、くさび１５が差し込まれる。くさび１５は、左右のコラム２間の間隔ｄとステー１０の上縁１１の長さとに生じ得る寸法誤差を補うために、ステー１０の取り付け時に差し込まれる。差し込んだくさび１５は、ボルト１６により仮止めすることができる。ステー１０の右上隅の角度α１４は鋭角であるが、くさび１５を差し込むことによって、クラウン３とコラム２とは直角に接続される。また、反対側のステー１０の左上隅の角度α１３は直角なので、ここでもクラウン３とコラム２とは直角に接続される。
【００１５】
ステー１０の上縁１１は複数のボルト１７によってクラウン３に当接して固定され、ステー１０の左側の側縁１３も複数のボルト１８よってコラム２に当接して固定される。また、ステー１０の右側の側縁１４は、くさび１５を介在させて、複数のボルト１９によってコラム２に固定される。ボルト１９は、くさび１５を貫通してコラム２にねじ込まれており、くさび１５と共に側縁１４を固定している。各ボルト１７，１８，１９は、ボルト止めのために設けられたステー１０の表面凹所から差し込まれて締められる。  
【００１６】
このように、平板状のステー１０が、上縁１１をクラウン３に固定すると共に両側縁１３，１４をコラム２に固定して設けられていることにより、当該ステー１０は、クラウン３とコラム２との接続角度（本実施形態の場合は直角）を一定に維持する突っ張り部材として機能する。すなわち、スライド４から偏芯荷重がかかり、図３のようにクラウン３及びコラム２が傾ごうとしても、ステー１０がこれに抗し、クラウン３とコラム２との接続角度が変化しないように突っ張るので、当該クラウン３とコラム２とが傾いで歪むことは抑制される。その結果、スライド４や上下金型の損傷防止に貢献する。
【００１７】
なお、上記実施形態のコラム２は、長方形の金属枠としてベッド１上の左右に設ける例を示してあるが、コラム２は、支柱部２ａの間の桟部２ｂが無く、４本の支柱部２ａが角柱として独立して四隅に立設されているものもある。この場合、左右のコラム２間と前後のコラム２間の両方にステー１０を架け渡すことができる。
【符号の説明】
【００１８】
１  ベッド
１ａ  ボルスタ
２  コラム
２ａ  支柱部
２ｂ  桟部
３  クラウン
４  スライド
５  アーム
６  ギブ
１０  ステー
１１  上縁
１２  下縁
１３  側縁（左側）
１４  側縁（右側）
１５  くさび
１６，１７，１８，１９  ボルト
【図１】
0005635822.tif 000002
【図２】
0005635822.tif 000003
【図３】
0005635822.tif 000004